(57)【要約】【課題】映像データの画質の低下を最小化し、かつ、映像データの格納に必要なメモリの容量を減少させることができる表示パネルの駆動装置及びその駆動方法を提供すること。【解決手段】本発明の表示パネルの駆動装置は、映像データ供給源から映像データを単位画素別にそれぞれ受信し、奇数番目の画素データとその次に位置した偶数番目の画素データとを互いに比較して暗号化キーを生成し、該暗号化キーに対応する基準値を割り当てる暗号化手段と、前記暗号化キー及び前記基準値を受信し、前記暗号化キー及び復号化キーを比較して、その比較結果に応じて前記基準値を用いて前記奇数番目の画素データと前記偶数番目の画素データとを復元して出力する復号化手段とを備えることを特徴とする。【選択図】図２
2008129605.tif 000002
【特許請求の範囲】
【請求項１】
映像データ供給源から映像データを単位画素別にそれぞれ受信し、奇数番目の画素データとその次に位置した偶数番目の画素データとを互いに比較して暗号化キーを生成し、該暗号化キーに対応する基準値を割り当てる暗号化手段と、
前記暗号化キー及び前記基準値を受信し、前記暗号化キー及び復号化キーを比較して、その比較結果に応じて前記基準値を用いて前記奇数番目の画素データと前記偶数番目の画素データとを復元して出力する復号化手段と
を備えることを特徴とする表示パネルの駆動装置。
【請求項２】
前記暗号化手段から暗号化キー及び前記基準値を格納する格納手段と、
前記復号化手段により出力されるデジタル信号である画素データをアナログ信号に変換して出力するデジタル・アナログ変換手段と
を更に備えることを特徴とする請求項１に記載の表示パネルの駆動装置。
【請求項３】
前記暗号化手段が、
前記奇数番目の画素データを仮に格納するバッファメモリと、
該バッファメモリに格納された奇数番目の画素データと前記映像データ供給源から供給される前記偶数番目の画素データとをそれぞれ受信して相互比較する第１の比較部と、
該第１の比較部の比較結果に応じて前記暗号化キー及び前記基準値を生成するエンコード部と
を備えることを特徴とする請求項１に記載の表示パネルの駆動装置。
【請求項４】
前記エンコード部が、
前記第１の比較部の比較結果、前記奇数番目の画素データと前記偶数番目の画素データとが同じ値を有する場合、第１の値を有する暗号化キーを生成して、前記奇数番目の画素データを前記基準値として割り当て、
前記第１の比較部の比較結果、前記偶数番目の画素データから前記奇数番目の画素データを引いた値が「０」より大きく、オフセット値と同じか小さい場合、第２の値を有する暗号化キーを生成して、前記奇数番目の画素データを前記基準値として割り当て、
前記第１の比較部の比較結果、前記奇数番目の画素データから前記偶数番目の画素データを引いた値が「０」より大きく、オフセット値と同じか小さい場合、第３の値を有する暗号化キーを生成して、前記奇数番目の画素データを前記基準値として割り当て、
前記第１の比較部の比較結果、前記奇数番目の画素データと前記偶数番目の画素データとの差が前記オフセット値より大きい場合、第４の値を有する暗号化キーを生成して、前記奇数番目の画素データの上位ビットを前記基準値の上位ビットとして割り当て、前記偶数番目の画素データの上位ビットを前記基準値の下位ビットとして割り当てることを特徴とする請求項３に記載の表示パネルの駆動装置。
【請求項５】
前記復号化手段が、
前記第１の値〜第４の値を有する暗号化キー及び前記復号化キーをそれぞれ比較する第２の比較部と、
該第２の比較部の比較結果に応じて前記復号化キーと対応する前記基準値を用いて前記奇数番目の画素データと前記偶数番目の画素データとをそれぞれ復元して出力するデコード部と
を備えることを特徴とする請求項４に記載の表示パネルの駆動装置。
【請求項６】
前記デコード部が、
前記第２の比較部の比較結果、前記第１の値を有する暗号化キー及び前記復号化キーが同じ場合、前記奇数番目の画素データと前記偶数番目の画素データとを前記基準値と同じ値に復元し、
前記第２の比較部の比較結果、前記第２の値を有する暗号化キー及び前記復号化キーが同じ場合、前記奇数番目の画素データを前記基準値と同じ値に復元し、前記偶数番目の画素データを、前記基準値に前記オフセット値を加えた値に復元し、
前記第２の比較部の比較結果、前記第３の値を有する暗号化キー及び前記復号化キーが同じ場合、前記奇数番目の画素データを前記基準値と同じ値に復元し、前記偶数番目の画素データを、前記基準値に前記オフセット値を引いた値に復元し、
前記第２の比較部の比較結果、前記第４の値を有する暗号化キー及び前記復号化キーが同じ場合、前記奇数番目の画素データの上位ビットを前記基準値の上位ビットに復元し、前記偶数番目の画素データの上位ビットを、前記基準値の上位ビットを除いた残りの下位ビットに復元することを特徴とする請求項５に記載の表示パネルの駆動装置。
【請求項７】
前記奇数番目の画素データの上位ビットを除いた残りの下位ビットが、前記奇数番目の画素データの上位ビットのうち、最上位ビットとその次のビットとして復元されることを特徴とする請求項６に記載の表示パネルの駆動装置。
【請求項８】
前記偶数番目の画素データの上位ビットを除いた残りの下位ビットが、前記偶数番目の画素データの上位ビットのうち、最上位ビットとその次のビットとして復元されることを特徴とする請求項６に記載の表示パネルの駆動装置。
【請求項９】
映像データ供給源から映像データを単位画素別にそれぞれ受信し、奇数番目の画素データとその次に位置する偶数番目の画素データとを互いに比較して暗号化キーを生成し、該暗号化キーに対応する基準値を割り当てて前記画素データを圧縮するステップと、
前記暗号化キー及び復号化キーを比較し、その比較結果に応じて前記基準値を用いて前記奇数番目の画素データと前記偶数番目の画素データとを復元するステップと
を含むことを特徴とする表示パネルの駆動方法。
【請求項１０】
前記生成された暗号化キー及び前記基準値を格納するステップと、
前記画素データをアナログ信号に変換するステップと
を更に含むことを特徴とする請求項９に記載の表示パネルの駆動方法。
【請求項１１】
前記画素データを圧縮するステップが、
前記奇数番目の画素データを仮に格納するステップと、
前記奇数番目の画素データと前記映像データ供給源から供給される前記偶数番目の画素データとをそれぞれ受信して相互比較するステップと、
前記比較結果に応じて前記暗号化キー及び前記基準値を生成するステップと
を含むことを特徴とする請求項９に記載の表示パネルの駆動方法。
【請求項１２】
前記暗号化キー及び前記基準値を生成するステップが、前記比較結果、前記奇数番目の画素データと前記偶数番目の画素データとが同じ値を有する場合、第１の値を有する暗号化キーを生成して、前記奇数番目の画素データを前記基準値として割り当てることを特徴とする請求項１１に記載の表示パネルの駆動方法。
【請求項１３】
前記暗号化キー及び前記基準値を生成するステップが、前記比較結果、前記偶数番目の画素データから前記奇数番目の画素データを引いた値が「０」より大きく、オフセット値と同じか小さい場合、第２の値を有する暗号化キーを生成して、前記奇数番目の画素データを前記基準値として割り当てることを特徴とする請求項１２に記載の表示パネルの駆動方法。
【請求項１４】
前記暗号化キー及び前記基準値を生成するステップが、前記比較結果、前記奇数番目の画素データから前記偶数番目の画素データを引いた値が「０」より大きく、オフセット値と同じか小さい場合、第３の値を有する暗号化キーを生成して、前記奇数番目の画素データを前記基準値として割り当てることを特徴とする請求項１３に記載の表示パネルの駆動方法。
【請求項１５】
前記暗号化キー及び前記基準値を生成するステップが、前記比較結果、前記奇数番目の画素データと前記偶数番目の画素データとの差が前記オフセット値より大きい場合、第４の値を有する暗号化キーを生成して、前記奇数番目の画素データの上位ビットを前記基準値の上位ビットとして割り当て、前記偶数番目の画素データの上位ビットを前記基準値の下位ビットとして割り当てることを特徴とする請求項１４に記載の表示パネルの駆動方法。
【請求項１６】
前記奇数番目の画素データと前記偶数番目の画素データとを復元するステップが、
前記第１の値〜第４の値を有する暗号化キー及び前記復号化キーをそれぞれ比較するステップと、
前記比較結果に応じて前記復号化キーと対応する前記基準値及び前記オフセット値を用いて前記奇数番目の画素データと前記偶数番目の画素データとをそれぞれ復元するステップと
を含むことを特徴とする請求項１５に記載の表示パネルの駆動方法。
【請求項１７】
前記奇数番目の画素データと前記偶数番目の画素データとをそれぞれ復元するステップが、前記比較結果、前記第１の値を有する暗号化キー及び前記復号化キーが同じ場合、前記奇数番目の画素データと前記偶数番目の画素データとを前記基準値と同じ値で復元することを特徴とする請求項１６に記載の表示パネルの駆動方法。
【請求項１８】
前記奇数番目の画素データと前記偶数番目の画素データとをそれぞれ復元するステップが、前記比較結果、前記第２の値を有する暗号化キー及び前記復号化キーが同じ場合、前記奇数番目の画素データを前記基準値と同じ値で復元し、前記偶数番目の画素データを、前記基準値に前記オフセット値を加えた値で復元することを特徴とする請求項１７に記載の表示パネルの駆動方法。
【請求項１９】
前記奇数番目の画素データと前記偶数番目の画素データとをそれぞれ復元するステップが、前記比較結果、前記第３の値を有する暗号化キー及び前記復号化キーが同じ場合、前記奇数番目の画素データを前記基準値と同じ値で復元し、前記偶数番目の画素データを、前記基準値に前記オフセット値を引いた値で復元することを特徴とする請求項１８に記載の表示パネルの駆動方法。
【請求項２０】
前記奇数番目の画素データと前記偶数番目の画素データとをそれぞれ復元するステップが、前記比較結果、前記第４の値を有する暗号化キー及び前記復号化キーが同じ場合、前記奇数番目の画素データの上位ビットを前記基準値の上位ビットで復元し、前記偶数番目の画素データの上位ビットを、前記基準値の上位ビットを除いた残りの下位ビットで復元することを特徴とする請求項１９に記載の表示パネルの駆動方法。
【請求項２１】
前記奇数番目の画素データの上位ビットを除いた残りの下位ビットが、前記奇数番目の画素データの上位ビットのうち、最上位ビットとその次のビットとして復元されることを特徴とする請求項２０に記載の表示パネルの駆動方法。
【請求項２２】
前記偶数番目の画素データの上位ビットを除いた残りの下位ビットが、前記偶数番目の画素データの上位ビットのうち、最上位ビットとその次のビットとして復元されることを特徴とする請求項２０に記載の表示パネルの駆動方法。
【請求項２３】
前記画素データが、ＲＧＢ、ＹＵＶ、又はＹＣｂＣｒに表現される画素のデータであることを特徴とする請求項９に記載の表示パネルの駆動方法。
【発明の詳細な説明】
【技術分野】
【０００１】
本発明は、映像処理に関し、特に、表示パネルに用いられ、映像データの圧縮及び復元機能を有する表示パネルの駆動装置及びその駆動方法に関する。
【背景技術】
【０００２】
近年、半導体技術及び情報通信の発達に伴い、映像を表示できる軽薄短小及び高画質の映像表示装置が開発されている。映像表示装置は、ＬＣＤ（Ｌｉｑｕｉｄ  Ｃｒｙｓｔａｌ  Ｄｉｓｐｌａｙ  ｄｅｖｉｃｅ）、ＦＥＤ（Ｆｉｅｌｄ  Ｅｍｉｓｓｉｏｎ  Ｄｉｓｐｌａｙ  ｄｅｖｉｃｅ）、ＰＤＰ（Ｐｌａｓｍａ  Ｄｉｓｐｌａｙ  Ｐａｎｅｌ  ｄｅｖｉｃｅ）、ＥＬＤ（Ｅｌｅｃｔｒｏ−Ｌｕｍｉｎｅｓｃｅｎｃｅ  Ｄｅｖｉｃｅ）などが含まれている。
【０００３】
一般的に、映像表示装置は、映像を表示する表示パネルと、映像を供給する映像供給源からデジタル信号として入力される映像データを格納した後、アナログ信号に変換して表示パネルを駆動する駆動装置とを備えている。
【０００４】
図１は、従来の技術に係る映像表示装置の構成図である。
【０００５】
同図に示すように、従来の技術に係る映像表示装置は、表示パネル１４０と、当該表示パネルを駆動する駆動装置１００とを備える。表示パネルの駆動装置１００は、映像供給源から供給されるデジタル信号の単位画素ＲＧＢの映像データを受信して伝達するインターフェース部１１０と、映像データを圧縮又は変形せずに、伝達されるデータをそのまま一対一で対応して格納するメモリ１２０と、当該メモリ１２０に格納された映像データをアナログ信号に変換して表示パネル１４０に出力するデジタル・アナログ変換部１３０とを備える。
【発明の開示】
【発明が解決しようとする課題】
【０００６】
しかしながら、従来の技術に係る表示パネルの駆動装置１００は、映像供給源から供給される映像データを圧縮又は変形せずに、インターフェース部１１０から伝達される状態をそのままメモリ１２０に一対一で対応して記録するため、映像データの個数とそのビット数の分、メモリ１４の容量を必要とするという問題がある。また、このような理由により、メモリのテストの際、それだけテスト時間が多くかかるという問題がある。
【０００７】
本発明は、上記した従来の技術の問題を解決するためになされたものであって、その目的は、映像データの画質の低下を最小化し、かつ、映像データの格納に必要なメモリの容量を減少させることができる表示パネルの駆動装置及びその駆動方法を提供することにある。
【課題を解決するための手段】
【０００８】
そこで、上記の目的を達成するための本発明による表示パネルの駆動装置は、 映像データ供給源から映像データを単位画素別にそれぞれ受信し、奇数番目の画素データとその次に位置する偶数番目の画素データとを互いに比較して暗号化キーを生成し、該暗号化キーに対応する基準値を割り当てる暗号化手段と、前記暗号化キー及び前記基準値を受信し、前記暗号化キー及び復号化キーを比較し、その比較結果に応じて前記基準値を用いて前記奇数番目の画素データと前記偶数番目の画素データとを復元して出力する復号化手段とを備えることを特徴とする。
【０００９】
また、上記の目的を達成するための本発明による表示パネルの駆動方法は、映像データ供給源から映像データを単位画素別にそれぞれ受信し、奇数番目の画素データとその次に位置した偶数番目の画素データとを互いに比較して暗号化キーを生成し、該暗号化キーに対応する基準値を割り当てて前記画素データを圧縮するステップと、前記暗号化キー及び復号化キーを比較し、その比較結果に応じて前記基準値を用いて前記奇数番目の画素データと前記偶数番目の画素データとを復元するステップとを含むことを特徴とする。
【発明を実施するための最良の形態】
【００１０】
以下、添付された図面を参照して本発明の好ましい実施形態を更に詳細に説明する。
【００１１】
図２は、本発明の実施形態に係る表示パネルの駆動装置を説明するために示した構成図である。以下において説明する「Ｎ」は自然数である。
【００１２】
同図に示すように、本発明の実施形態に係る表示パネルの駆動装置２００は、映像データ供給源からデジタル信号として供給される単位画素ＲＧＢの映像データをそれぞれ受信し、互いに対応する画素のうち、奇数番目（２Ｎ−１）に位置する単位画素のデータとその次に位置する偶数番目（２Ｎ）の単位画素のデータとを一組とし、互いに比較して暗号化キーＥＮＫ及び基準値ＶＲＥＦを割り当てる暗号化部２１０と、暗号化キーＥＮＫ及び基準値ＶＲＥＦを格納するフレームメモリ２２０と、当該フレームメモリ２２０から入力される暗号化キーＥＮＫ及び基準値ＶＲＥＦを受信し、受信された暗号化キーＥＮＫ及び復号化キーＤＥＫを比較し、その比較結果に応じて基準値ＶＲＥＦを用いて単位画素の映像データを復号化する復号化部２３０と、復号化された映像データをアナログ信号に変換して表示パネル２５０に出力するデジタル・アナログ変換部２４０とを備える。
【００１３】
図３は、図２に示された暗号化部２１０の構成図である。
【００１４】
同図に示すように、暗号化部２１０は、映像データ供給源から供給される単位画素ＲＧＢの映像データのうち、奇数番目（２Ｎ−１）に位置する単位画素（以下、奇数番目（２Ｎ−１）の画素とする）のデータを仮に格納する複数のバッファメモリ用レジスタ２１１と、当該レジスタ２１１に格納された奇数番目（２Ｎ−１）の画素のデータと映像データ供給源から直接供給される偶数番目（２Ｎ）に位置する単位画素（以下、偶数番目（２Ｎ）の画素とする）のデータとを比較する複数の比較部２１２と、当該比較部２１２の比較結果に応じて、予め設定された暗号化キーＥＮＫ及び基準値ＶＲＥＦを２つの単位画素の映像データの共通データに割り当てて、２つの映像データを１個の基準値ＶＲＥＦに圧縮する複数のエンコード部２１３とを備える。
【００１５】
図４は、図２に示された復号化部２３０の構成図である。
【００１６】
復号化部２３０は、図４に示すように、エンコード部２１３から入力されてフレームメモリ２２０に格納された暗号化キーＥＮＫ及び基準値ＶＲＥＦを受信し、暗号化キーＥＮＫ及び復号化キーＤＥＫを比較する複数の比較部２３１と、当該比較部２３１の比較結果に応じて、基準値ＶＲＥＦを用いて２つの映像データを復元する複数のデコード部２３２とを備える。
【００１７】
以下、図５〜図９を結び付けて、図２及び図３に示された本発明の実施形態に係る表示パネル駆動装置の駆動方法（圧縮方法及び復元方法）について説明する。
【００１８】
図５は、５×５画素のカーネル（ｋｅｒｎｅｌ）映像データを示した図であり、図６は、暗号化キーＥＮＫ及び基準値ＶＲＥＦを説明するために示したデータフレームであり、図７は、復号化キーＤＥＫ及び復号化された映像データを説明するために示した図である。また、図８は、本発明の実施形態に係る圧縮方法を示したフローチャートであり、図９は、復元方法を示したフローチャートである。
【００１９】
ここでは、説明の便宜のために、単位画素のうち、一例として「Ｇ」画素について説明する。
【００２０】
圧縮方法
図２〜図６及び図８に示すように、まず、映像データ供給源から奇数番目（２Ｎ−１）の画素Ｇ１１の映像データを受信してレジスタ２１１に仮に格納する。その後、映像データ供給源から偶数番目（２Ｎ）の画素Ｇ１２の映像データが入力されると、比較部２１２は、レジスタ２１１に格納された「Ｇ１１」の映像データと映像データ供給源から直接入力される「Ｇ１２」の映像データとを受信して互いに比較する（Ｓ８１）。
【００２１】
比較部２１２の比較結果、「Ｇ１１」の映像データと「Ｇ１２」の映像データとが同じ場合、エンコード部２１３は、図６Ａのように暗号化キーＥＮＫを生成し、基準値ＶＲＥＦとして「Ｇ１１」の映像データ値を割り当てる（Ｓ８２、Ｓ８３）。それに対し、「Ｇ１１」の映像データと「Ｇ１２」の映像データとが同じではなく、「Ｇ１２」の映像データから「Ｇ１１」の映像データを引いた値が「０」より大きく、オフセット値（ユーザにより設定される１コード又は２コード値）と同じか小さい場合、図６Ｂのように暗号化キーＥＮＫを生成し、基準値ＶＲＥＦとして「Ｇ１１」の映像データ値を割り当てる（Ｓ８４、Ｓ８５）。それに対し、「Ｇ１１」の映像データから「Ｇ１２」の映像データを引いた値が「０」より大きく、オフセットと同じか小さい場合、図６Ｃのように暗号化キーＥＮＫを生成し、基準値ＶＲＥＦとして「Ｇ１１」の映像データ値を割り当てる（Ｓ８６、Ｓ８７）。それに対し、前記した全ての条件に該当しなかった場合、図６Ｄのように暗号化キーＥＮＫを生成し、基準値ＶＲＥＦの上位ビットには「Ｇ１１」の映像データ値の上位ビットを割り当て、下位ビットには「Ｇ１２」の映像データ値の上位ビットを割り当てる（Ｓ８８）。
【００２２】
例えば、画素データ値が１〜６４（２０〜２６）コードで表現される場合について説明する。
【００２３】
「Ｇ１１」の映像データ値が「１００１００」であり、「Ｇ１２」の映像データ値が「１００１００」であると仮定すれば、エンコード部２１３は、暗号化キーＥＮＫとして「０００」を生成し、基準値ＶＲＥＦでは「Ｇ１１」の映像データ値である「１００１００」を割り当ててフレームメモリ２２０に格納する。それに対し、「Ｇ１１」の映像データ値が「１００１００」であり、「Ｇ１２」の映像データ値が「１００１０１」（オフセット値が「１」（２進数で「０００００１」）の場合として仮定すれば、エンコード部２１３は、暗号化キーＥＮＫとして「００１」を生成し、基準値ＶＲＥＦでは「Ｇ１１」の映像データ値である「１００１００」を割り当てる。それに対し、「Ｇ１１」の映像データ値が「１００１００」であり、「Ｇ１２」の映像データ値が「１０００１１」と仮定すれば、エンコード部２１３は、暗号化キーＥＮＫとして「０１０」を生成し、基準値ＶＲＥＦでは「Ｇ１１」の映像データ値である「１００１００」を割り当てる。それに対し、「Ｇ１１」の映像データ値が「１００１００」であり、「Ｇ１２」の映像データ値が「１１００００」と仮定すれば、「Ｇ１１」の映像データ値が「Ｇ１２」の映像データ値に設定されたオフセット値を加えるか、又は引いた値と同じでないため、エンコード部２１３は、暗号化キーＥＮＫとして「１」を生成し、基準値ＶＲＥＦの上位４ビットは「Ｇ１１」の映像データ値の上位４ビットである「１００１」を割り当て、下位４ビットは「Ｇ１２」の映像データ値の上位４ビットである「１１００」を割り当てる。つまり、基準値ＶＲＥＦは、「１００１１１００」となる。
【００２４】
復元方法
図２〜図５、図７及び図９に示すように、まず、比較部２３１は、暗号化部２１０を介して生成され、かつ、フレームメモリ２２０に格納された暗号化キーＥＮＫ、基準値ＶＲＥＦ、及び復号化キーＤＥＫを受信し、暗号化キーＥＮＫ及び復号化キーＤＥＫを比較する（Ｓ９１）。
【００２５】
比較部２３１の比較結果、暗号化キーＥＮＫが「０００」であれば、デコード部２３２は、図７Ａのように「Ｇ１１」の映像データ値と「Ｇ１２」の映像データ値とを基準値ＶＲＥＦとして復元する（Ｓ９２、Ｓ９３）。それに対し、暗号化キーＥＮＫが「００１」であれば、デコード部２３２は、図７Ｂのように「Ｇ１１」の映像データ値を基準値ＶＲＥＦとしてそのまま復元し、「Ｇ１２」の映像データ値を、基準値ＶＲＥＦにオフセット値を加えた値で復元する（Ｓ９４、Ｓ９５）。それに対し、暗号化キーＥＮＫが「０１０」であれば、デコード部２３２は、図７Ｃのように「Ｇ１１」の映像データ値を基準値ＶＲＥＦとしてそのまま復元し、「Ｇ１２」の映像データ値を、基準値ＶＲＥＦにオフセット値を引いた値で復元する（Ｓ９６、Ｓ９７）。それに対し、暗号化キーＥＮＫが「１」であれば、デコード部２３２は、図７Ｄのように「Ｇ１１」の映像データ値の上位４ビットは基準値ＶＲＥＦの上位４ビットとして復元し、残りの上位２ビットは復元された上位４ビットのうち、最上位ビットとその次のビットとして復元する。そして、「Ｇ１２」の映像データ値の上位４ビットは基準値ＶＲＥＦの下位４ビットとして復元し、残りの下位２ビットは復元された上位４ビットのうち、最上位ビットとその次のビットを用いて復元する（Ｓ９８）。
【００２６】
例えば、基準値ＶＲＥＦが６ビット（暗号化キーＥＮＫが「０００、００１、０１０」）の場合「１００１００」、８ビット（暗号化キーＥＮＫが「１」）の場合「１００１１００１」の場合について説明する。
【００２７】
暗号化キーＥＮＫが「０００」であれば、デコード部２３２は、「Ｇ１１」の映像データ値と「Ｇ１２」の映像データ値とを「１００１００」として復元する。それに対し、暗号化キーＥＮＫが「００１」であれば、デコード部２３２は、「Ｇ１１」の映像データ値を「１００１００」に復元し、「Ｇ１２」の映像データ値を「１００１０１（１００１００（基準値）＋０００００１（オフセット値））」として復元する。それに対し、暗号化キーＥＮＫが「０１０」であれば、デコード部２３２は、「Ｇ１１」の映像データ値を「１００１００」として復元し、「Ｇ１２」の映像データ値を「１０００１１（１００１００（基準値）−０００００１（オフセット値））」として復元する。それに対し、暗号化キーＥＮＫが「１」であれば、デコード部２３２は「Ｇ１１」の映像データ値を「１００１１０」として復元し、「Ｇ１２」の映像データ値を「１００１１０」として復元する。
【００２８】
上記においては、一例として、「Ｇ１１」及び「Ｇ１２」についての圧縮及び復元方法に関してのみ説明したが、他の画素「Ｒ」、また、「Ｂ」の場合も同じ方法により圧縮及び復元を行うことになる。このとき、圧縮においては、隣接した２つの画素を一組にして圧縮が行われる。すなわち、一度圧縮に参加した画素は、その次の画素の映像データの圧縮からは除かれ、新たに選択された２つの画素を一組にして圧縮が行われる。
【００２９】
また、圧縮過程において、図６Ｄに示すように、暗号化キーＥＮＫが「１」で生成される場合、基準値ＶＲＥＦは奇数番目の画素データ及び偶数番目の画素データの上位４ビットを用いて合計８ビットを割り当てたが、奇数番目の画素データ及び偶数番目の画素データの上位５ビットを用いて、合計１０ビットとして割り当てることもでき、この場合、その復号化過程において、下位２ビットの復元過程で発生し得る誤差範囲を１ビットに減少させることができる。
【００３０】
以上で説明したように、本発明によれば、映像データ供給源から供給される映像データを圧縮してメモリに格納し、このように圧縮された状態でメモリに格納されたデータを復号化して元々の映像データとして復元することにより画質の低下を最小化し、かつ、映像データの格納に必要なメモリの容量を２５％程度減少させることができる。
【００３１】
また、本発明は、映像データの圧縮を介してメモリ容量を減少させることにより、表示パネルの駆動装置のチップサイズを減少させる一方、フレームメモリとして用いられるＲＡＭ（Ｒａｎｄｏｍ  Ａｃｃｅｓｓ  Ｍｅｍｏｒｙ）の不良を低減させて、これを通じて製品の歩留りを向上させることができる。
【００３２】
なお、本発明は、「ＲＧＢ」だけでなく、「ＹＵＶ」又は「ＹＣｂＣｒ」で表現される映像データにも全て適用することができ、これを通じてより多様な入力を支援する表示パネル駆動装置に適用することができる。
【００３３】
本発明は、上記の実施形態に限定されるものではなく、本発明に係る技術的思想から逸脱しない範囲内で様々な変更が可能であり、それらも本発明の技術的範囲に属する。特に、本発明の実施形態では、一例として、「ＲＧＢ」を挙げて説明したが、「ＲＧＢ」の他に、「ＹＵＶ」又は「ＹＣｂＣｒ」などの場合にも適用することができる。
【図面の簡単な説明】
【００３４】
【図１】従来の技術に係る表示パネルの駆動装置の構成図である。
【図２】本発明の実施形態に係る表示パネルの駆動装置の構成図である。
【図３】図２に示された暗号化部２１０の構成図である。
【図４】図２に示された復号化部２３０の構成図である。
【図５】５×５画素カーネル構造を有する画素パターンを示した図である。
【図６Ａ】本発明の実施形態において用いる暗号化キー及び基準値を備えるデータフレームを示した図である。
【図６Ｂ】本発明の実施形態において用いる暗号化キー及び基準値を備えるデータフレームを示した図である。
【図６Ｃ】本発明の実施形態において用いる暗号化キー及び基準値を備えるデータフレームを示した図である。
【図６Ｄ】本発明の実施形態において用いる暗号化キー及び基準値を備えるデータフレームを示した図である。
【図７Ａ】本発明の実施形態において用いる復号化キーを備えるデータフレームを示した図である。
【図７Ｂ】本発明の実施形態において用いる復号化キーを備えるデータフレームを示した図である。
【図７Ｃ】本発明の実施形態において用いる復号化キーを備えるデータフレームを示した図である。
【図７Ｄ】本発明の実施形態において用いる復号化キーを備えるデータフレームを示した図である。
【図８】本発明の実施形態に係る圧縮方法を示したフローチャートである。
【図９】本発明の実施形態に係る復元方法を示したフローチャートである。
【符号の説明】
【００３５】
１００、２００      駆動装置
１１０              インターフェース部
１２０              メモリ
１３０、２４０      デジタル・アナログ変換部
１４０、２５０      表示パネル
２１０              暗号化部
２２０              フレームメモリ
２３０              復号化部
【図１】
2008129605.tif 000003
【図２】
2008129605.tif 000004
【図３】
2008129605.tif 000005
【図４】
2008129605.tif 000006
【図５】
2008129605.tif 000007
【図６Ａ】
2008129605.tif 000008
【図６Ｂ】
2008129605.tif 000009
【図６Ｃ】
2008129605.tif 000010
【図６Ｄ】
2008129605.tif 000011
【図７Ａ】
2008129605.tif 000012
【図７Ｂ】
2008129605.tif 000013
【図７Ｃ】
2008129605.tif 000014
【図７Ｄ】
2008129605.tif 000015
【図８】
2008129605.tif 000016
【図９】
2008129605.tif 000017